【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
第１のインターバルで第１のビーコンをブロードキャストするステップと、
前記第１のインターバルと同じかより短い第２のインターバルで第２のビーコン（ＳＢ）をブロードキャストするステップと
を備えたことを特徴とする無線通信媒体へのアクセスを制御する方法。
【請求項２】
前記ＳＢは前記第１のビーコンと異なる周期性を有することを特徴とする請求項１に記載の方法。
【請求項３】
前記ＳＢは、管理フレームであることを特徴とする請求項２に記載の方法。
【請求項４】
前記第１のビーコンは情報要素を備え、前記ＳＢは前記第１のビーコンの前記情報要素の少なくとも一部を有することを特徴とする請求項２に記載の方法。
【請求項５】
前記第１のビーコンおよび前記ＳＢは、アクセスポイント（ＡＰ）により伝送され、前記ＳＢは前記ＡＰの位置上で情報を含むことを特徴とする請求項１に記載の方法。
【請求項６】
物理的測定を要求するために、局（ＳＴＡ）に測定要求を送信することをさらに備えたことを特徴とする請求項１に記載の方法。
【請求項７】
前記測定要求は、アクションフレームとして受信されることを特徴とする請求項６に記載の方法。
【請求項８】
前記物理的測定は、干渉、受信信号強度インジケータ（ＲＳＳＩ）、パスロス(path loss)、およびチャネル品質インジケータ（ＣＱＩ）の少なくとも１つを含むことを特徴とする請求項６に記載の方法。
【請求項９】
前記測定要求への応答は、アンテナ較正(calibration)に使用される情報を含むことを特徴とする請求項６に記載の方法。
【請求項１０】
送信器識別子、受信器識別子、送信アンテナ識別子、受信アンテナ識別子、およびＲＳＳＩ情報のうちの少なくとも１つを含むアクションフレームは、アンテナ較正に使用されることを特徴とする請求項６に記載の方法。
【請求項１１】
アンテナビームステアリングのサポートを示す特別なパケットを伝送するステップをさらに備えたことを特徴とする請求項６に記載の方法。
【請求項１２】
ＳＴＡにタイミング情報を送信するステップをさらに備えたこと特徴とする請求項１に記載の方法。
【請求項１３】
前記ＳＢは、数入力複数出力（ＭＩＭＯ）能力情報を含むことを特徴とする請求項１に記載の方法。
【請求項１４】
前記第１のビーコンは、周期性情報、周波数帯域情報、およびサブチャネル情報の少なくとも１つを含む前記ＳＢに関する情報を含むことを特徴とする請求項１に記載の方法。
【請求項１５】
前記ＳＢは、前記第１のビーコンより高いデータ率で伝送されることを特徴とする請求項１に記載の方法。
【請求項１６】
第１のインターバルで第１のビーコンを受信し、前記第１のインターバルと同じか、より短い第２のインターバルで第２のビーコン（ＳＢ）を受信するよう構成された受信器
を備えたことを特徴とするＨＴ  ＳＴＡ（高いスループットの局）。
【請求項１７】
前記ＳＢは、管理フレームであることを特徴とする請求項１６に記載のＨＴ  ＳＴＡ。
【請求項１８】
前記第１のビーコンは情報要素を備え、前記ＳＢは前記第１のビーコンの前記情報要素の少なくとも一部を有することを特徴とする請求項１６に記載のＨＴ  ＳＴＡ。
【請求項１９】
前記ＳＢは、少なくとも１つのアクセスポイント（ＡＰ）の位置に関する情報を含むことを特徴とする請求項１６に記載のＨＴ  ＳＴＡ。
【請求項２０】
前記受信器は、物理的測定を要求するために、アクセスポイント（ＡＰ）からの測定要求を受信するようさらに構成されることを特徴とする請求項１６に記載のＨＴ  ＳＴＡ。
【請求項２１】
前記測定要求は、アクションフレームにおいて受信されることを特徴とする請求項２０に記載のＨＴ  ＳＴＡ。
【請求項２２】
測定応答を伝送するように構成された送信器をさらに備えたことを特徴とする請求項２０に記載のＨＴ  ＳＴＡ。
【請求項２３】
前記測定応答はアクションフレームとして伝送されることを特徴とする請求項２２に記載のＨＴ  ＳＴＡ。
【請求項２４】
前記送信器は、アクションフレームにおける前記測定応答を伝送するようにさらに構成されていることを特徴とする請求項２２に記載のＨＴ  ＳＴＡ。
【請求項２５】
前記物理的測定は、干渉、受信信号強度インジケータ（ＲＳＳＩ）、パスロス(path loss)、およびチャネル品質インジケータ（ＣＱＩ）の少なくとも１つを含むことを特徴とする請求項２０に記載のＨＴ  ＳＴＡ。
【請求項２６】
前記物理的測定は、アンテナ較正(calibration)に使用されることを特徴とする請求項２５に記載のＨＴ  ＳＴＡ。
【請求項２７】
前記受信器は、アンテナビームステアリングのためにアクセスポイント（ＡＰ）から特別なパケットを受信するようにさらに構成されていることを特徴とする請求項１６に記載のＨＴ  ＳＴＡ。
【請求項２８】
第１のインターバルで第１のビーコンを受信するステップと、
前記第１のインターバルと同じかより短い第２のインターバルで第２のビーコン（ＳＢ）を受信するステップと
を備えたことを特徴とする無線通信媒体へアクセスする方法。
【請求項２９】
前記ＳＢは、管理フレームであることを特徴とする請求項２８に記載の方法。
【請求項３０】
前記第１のビーコンは情報要素を備え、前記ＳＢは前記第１のビーコンの前記情報要素の少なくとも一部を有することを特徴とする請求項２８に記載の方法。
【請求項３１】
前記ＳＢは、少なくとも１つのアクセスポイント（ＡＰ）の前記位置に関する情報を含むことを特徴とする請求項２８に記載の方法。
【請求項３２】
物理的測定を要求するアクセスポイント（ＡＰ）からの測定要求を受信するステップ
をさらに備えたことを特徴とする請求項２８に記載の方法。
【請求項３３】
前記測定要求は、アクションフレームにおいて受信されることを特徴とする請求項３２に記載の方法。
【請求項３４】
測定応答を伝送するステップをさらに備えたことを特徴とする請求項３２に記載の方法。
【請求項３５】
前記測定応答はアクションフレームとして伝送されることを特徴とする請求項３４に記載の方法。
【請求項３６】
前記物理的測定は、干渉、受信信号強度インジケータ（ＲＳＳＩ）、パスロス(path loss)、およびチャネル品質インジケータ（ＣＱＩ）の少なくとも１つを含むことを特徴とする請求項３４に記載の方法。
【請求項３７】
前記物理的測定は、アンテナ較正(calibration)に使用されることを特徴とする請求項３５に記載の方法。
【請求項３８】
アクションフレームにおいて前記測定応答を伝送するステップをさらに備えたことを特徴とする請求項３４に記載の方法。
【請求項３９】
アンテナビームステアリングのためにアクセスポイント（ＡＰ）から特別なパケットを受信するステップをさらに備えたことを特徴とする請求項２８に記載の方法。
【請求項４０】
アクセスポイント（ＡＰ）からタイミング情報を受信するステップをさらに備えたことを特徴とする請求項２８に記載の方法。
【請求項４１】
前記ＳＢにおいて複数入力複数出力（ＭＩＭＯ）能力情報を受信するステップ
をさらに備えたことを特徴とする請求項２８に記載の方法。
【請求項４２】
前記ＨＴ  ＳＴＡの前記ＭＩＭＯ能力を示す複数入力複数出力（ＭＩＭＯ）能力情報を伝送するステップをさらに備えたことを特徴とする請求項２８に記載の方法。
【請求項４３】
前記ＳＢは、前記第１のビーコンより高いデータ率で受信されることを特徴とする請求項２８に記載の方法。
【請求項４４】
高いスループット（ＨＴ）局で実行されることを特徴とする請求項２８に記載の方法。
【請求項４５】
第１のインターバルで第１のビーコンを伝送し、前記第１のインターバルと同じか、より短い第２のインターバルで第２のビーコン（ＳＢ）を伝送するよう構成された送信器
を備えたことを特徴とするＡＰ。
【請求項４６】
前記ＳＢは、管理フレームであることを特徴とする請求項４５に記載のＡＰ。
【請求項４７】
前記ＳＢは前記第１のビーコンの前記情報要素の少なくとも一部を有することを特徴とする請求項４５に記載のＡＰ。
【請求項４８】
前記ＳＢは、少なくとも１つのアクセスポイント（ＡＰ）の前記位置に関する情報を含むことを特徴とする請求項４５に記載のＡＰ。
【請求項４９】
前記送信器は、高いスループット（ＨＴ）局から物理的測定を要求するための測定要求を伝送するようにさらに構成されていることを特徴とする請求項４５に記載のＡＰ。
【請求項５０】
前記測定要求は、アクションフレームにおいて伝送されることを特徴とする請求項４８に記載のＡＰ。
【請求項５１】
前記測定応答を受信するよう構成された受信器をさらに備えたことを特徴とする請求項４８に記載のＡＰ。
【請求項５２】
前記測定応答は、アクションフレームとして受信されることを特徴とする請求項４９に記載のＡＰ。
【請求項５３】
前記物理的測定は、干渉、受信信号強度インジケータ（ＲＳＳＩ）、パスロス(path loss)、およびチャネル品質インジケータ（ＣＱＩ）の少なくとも１つを含むことを特徴とする請求項４８に記載のＡＰ。
【請求項５４】
前記物理的測定はアンテナ較正(calibration)に使用されることを特徴とする請求項５３に記載のＡＰ。
【請求項５５】
前記受信器は、アンテナビームステアリングのための特別なパケットにさらに構成されていることを特徴とする請求項５０に記載のＡＰ。
【請求項５６】
前記送信器は、アンテナビームステアリングのための特別なパケットを伝送するようにさらに構成されていることを特徴とする請求項４５に記載のＡＰ。